(57)【要約】      （修正有）【課題】光漏れを抑制できる表示装置を提供する。【解決手段】第１表示窓２１と第２表示窓２２を有し遮光性材料で形成された表示カバー２０と、第１表示窓から視認可能な第１表示部４０と、第２表示窓から視認可能な第２表示部５０と、を有し光透過性材料で一体的に形成された表示部材３０と、第１表示部と第２表示部の間に設けられた遮光リブ２３と、第１表示部、第２表示部に対応する光源７１、７２と、を備え、第１表示部は光源の光が入射する入射部４１と、第１表示窓から視認可能で入射部に入射した光を射出する射出部４２とを有し、第２表示部は、第２表示窓から視認可能な第１面５４と、第１面の裏面である第２面５３と、を有し、表示部材は、第１表示部の入射部及び射出部以外の部分から延びる第１腕部４５と、第２表示部の第１面及び第２面以外の部分から延びる第２腕部５５と、をさらに有し、第１腕部は、端部以外の部分が第２腕部と接続される。【選択図】図１
2019120804.tif 000002
【特許請求の範囲】
【請求項１】
第１表示窓と第２表示窓を有し遮光性材料で形成されたカバー部材と、
前記第１表示窓から視認可能な第１表示部と、前記第２表示窓から視認可能な第２表示部と、を有し光透過性材料で一体的に形成された表示部材と、
前記第１表示部と前記第２表示部の間に設けられた遮光リブと、
前記第１表示部に対応する光源と、を備え、
前記第１表示部は前記光源の光が入射する入射部と、前記第１表示窓から視認可能で前記入射部に入射した光を射出する射出部とを有し、
前記第２表示部は、前記第２表示窓から視認可能な第１面と、前記第１面の裏面である第２面と、を有し、
前記表示部材は、前記第１表示部の前記入射部及び前記射出部以外の部分から延びる第１腕部と、前記第２表示部の前記第１面及び前記第２面以外の部分から延びる第２腕部と、をさらに有し、
前記第１腕部は、当該端部以外の部分が前記第２腕部と接続されることを特徴とする表示装置。
【請求項２】
前記第１腕部の端部には、前記光源からの光が前記第１腕部から外へ出る第１出光面と、前記第１出光面へ向けて前記光源の光を反射する第１反射面と、が設けられ、
前記第１出光面は、前記第２腕部と接続されない面に設けられることを特徴とする請求項１に記載の表示装置。
【請求項３】
前記第２腕部は、前記第１腕部と交差することを特徴とする請求項１又は２に記載の表示装置。
【請求項４】
前記表示部材は前記第１腕部と前記第２腕部を接続するための接続部をさらに有し、前記第１腕部は当該端部以外の部分が前記接続部と接続し、前記第２腕部は当該端部以外の部分が前記接続部と接続することを特徴とする請求項１に記載の表示装置。
【請求項５】
前記第１腕部の端部には、前記光源からの光が前記第１腕部から外へ出る第１出光面と、前記第１出光面へ向けて前記光源の光を反射する第１反射面と、が設けられ、
前記第１出光面は、前記第２腕部及び前記接続部と接続されない面に設けられることを特徴とする請求項４に記載の表示装置。
【請求項６】
前記光源はＬＥＤであることを特徴とする請求項１から５のいずれか１項に記載の表示装置。
【請求項７】
前記第１反射面は金属膜を有することを特徴とする請求項２または５に記載の表示装置。
【請求項８】
前記第２表示部の前記第２面と対向する位置に光反射型の表示デバイスを備えることをとする請求項１から７のいずれか１項に記載の表示装置。
【請求項９】
前記第２表示部に対応する第２光源を備え、前記第２光源の光は前記第２面から入射して前記第１面から射出し、
前記第２腕部の端部には、前記第２光源からの光が前記第２腕部から外へ出る第２出光面と、前記第２出光面へ向けて前記第２光源の光を反射する第２反射面と、が設けられ、
前記第２出光面は、前記第１腕部と接続されない面に設けられることを特徴とする請求項１から７のいずれか１項に記載の表示装置。
【請求項１０】
前記第２光源は、ＬＥＤであることを特徴とする請求項８に記載の表示装置。
【請求項１１】
前記第２光源は、光源を備えた表示デバイス又は自発光型表示デバイスであることを特徴とする請求項８に記載の表示装置。
【請求項１２】
前記第２反射面は金属膜を有することを特徴とする請求項９から１１のいずれか１項に記載の表示装置。
【請求項１３】
記録媒体に記録する記録手段と、請求項１から１２に記載の表示装置と、を備える記録装置。
【請求項１４】
前記記録手段はインクを吐出して画像を記録する記録ヘッドであることを特徴とする請求項１３に記載の記録装置。
【請求項１５】
前記第１表示部はインク量に関する情報を表示し、前記第２表示部は記録装置の動作状態に関する情報を表示することを特徴とする請求項１４に記載の記録装置。
【発明の詳細な説明】
【技術分野】
【０００１】
本発明は、電子機器に用いられ、光で動作状態を表示する表示装置および記録装置に関する。
【背景技術】
【０００２】
電子機器の動作状態を表示するために、電子機器には各種の表示装置が設けられている。表示装置の一つとして、光源に対応する表示部を外装パネルに形成し、表示部における光の点滅によって動作状態を示すものが知られている。このような表示装置では、光源と表示部の対を複数設けることで、複数の動作状態を表示することもある。
【０００３】
複数の表示部を近接して設ける場合、連結部によって各表示部を連結して一体化する構成を採用することがある。この構成を採用すると、光源からの光が対応する表示部以外に、連結部を介して別の表示部に漏れてしまうことがある。特許文献１ではこれに対して、２つの遮光リブを設けることで、対応しない表示部から光源の光が漏れることを抑制している。
【先行技術文献】
【特許文献】
【０００４】
【特許文献１】特開２００９−１７０７１７号公報
【発明の概要】
【発明が解決しようとする課題】
【０００５】
しかしながら、特許文献１に記載の装置では、２つの表示部の間に２つの遮光リブを設けるために２つの表示部を所定距離以上離す必要がある。これにより、表示装置が大型化することがある。
【０００６】
本発明は、上記課題に鑑みてなされたものであり、光漏れを抑制することができ、且つ、小型化ができる表示装置を提供することを目的とする。
【課題を解決するための手段】
【０００７】
上記課題を解決するため、本発明に係る表示装置は、第１表示窓と第２表示窓を有し遮光性材料で形成されたカバー部材と、前記第１表示窓から視認可能な第１表示部と、前記第２表示窓から視認可能な第２表示部と、を有し光透過性材料で一体的に形成された表示部材と、前記第１表示部と前記第２表示部の間に設けられた遮光リブと、前記第１表示部に対応する光源と、を備え、前記第１表示部は前記光源の光が入射する入射部と、前記第１表示窓から視認可能で前記入射部に入射した光を射出する射出部とを有し、前記第２表示部は、前記第２表示窓から視認可能な第１面と、前記第１面の裏面である第２面と、を有し、前記表示部材は、前記第１表示部の前記入射部及び前記射出部以外の部分から延びる第１腕部と、前記第２表示部の前記第１面及び前記第２面以外の部分から延びる第２腕部と、をさらに有し、前記第１腕部は、当該端部以外の部分が前記第２腕部と接続されることを特徴とする。
【発明の効果】
【０００８】
本発明によれば、光漏れを抑制することができ、且つ、小型化ができる表示装置を提供することができる。
【図面の簡単な説明】
【０００９】
【図１】（ａ）は第１実施形態に係る表示装置の上面図であり、（ｂ）は表示装置の断面図であり、（ｃ）は表示装置の分解斜視図である。
【図２】第１実施形態に係る表示装置の断面図である。
【図３】第１実施形態に係る表示装置のライトガイド部における光の進み方を説明する断面拡大図である。
【図４】（ａ）は第２実施形態に係る記録装置の上面図であり、（ｂ）はＬＣＤを示す上面拡大図である。
【図５】（ａ）は第２実施形態に係る表示操作部の断面図であり、（ｂ）は表示操作部の分解斜視図である。
【図６】（ａ）は第２実施形態の表示操作部を示す上面図であり、（ｂ）は（ａ）のＤ−Ｄ断面図である。
【図７】第２実施形態の変形例の表示操作部を示す上面図である。
【発明を実施するための形態】
【００１０】
以下で、図面を参照して本発明に係る表示装置の実施形態について説明する。また、以下の実施形態に記載されている構成部品の寸法、形状、それらの相対配置等は、本発明が適用される装置の構成や各種条件により適宜変更されるべきものである。特定的な記載がない限りは、本発明の範囲をそれらのみに限定する趣旨のものではない。
【００１１】
〔第１実施形態〕
本実施形態に係る表示装置１の構成について、図１〜図３を用いて説明する。図１（ａ）は表示装置１の上面図を示し、図１（ｂ）は図１（ａ）におけるＡ−Ａ断面図を示し、図１（ｃ）は図１（ａ）に示す表示装置１の分解斜視図を示す。表示装置１は主に、ボトムフレーム１０と、表示カバー（カバー部材）２０と、ライトガイド３０と、回路基板７０とによって構成されている。ボトムフレーム１０および表示カバー２０は、光を遮る不透明な樹脂（遮光性材料）で作られている。また、ボトムフレーム１０と表示カバー２０は組み合わさることで箱形状を形成し、外部から箱形状の内部へ進入しようとする光を遮る構成になっている。ボトムフレーム１０と表示カバー２０によって形成される箱形状の内部にはライトガイド３０が配置され、ライトガイド３０とボトムフレーム１０との間には回路基板７０が配されている。ライトガイド３０は、光透過性樹脂（光透過性材料）で成形されている。
【００１２】
図１（ｃ）に示すように、表示カバー２０の上面には、第一表示窓２１及び第二表示窓２２が設けられている。また図１（ｂ）に示すように、表示カバー２０の内部には回路基板７０に向けて突出した遮光リブ２３が形成されている。
【００１３】
ライトガイド３０は主に、第一表示部としての第一ライトガイド部４０と、第二表示部としての第二ライトガイド部５０と、第一ライトガイド部４０と第二ライトガイド部５０を連結するための連結部６０と、を備え、それらが一体的に形成されている。第一ライトガイド部４０は、第一入射部４１と第一射出部４２を備える。第二ライトガイド部５０は、第二入射部５３と第二射出部５４を備える。第一射出部４２は第一表示窓２１に挿入可能であり、第二射出部５４は第二表示窓２２に挿入可能である。表示カバー２０の遮光リブ２３は、第一ライトガイド部４０と第二ライトガイド部５０との間に挿入可能な位置に配されている。第一ライトガイド部４０と第二ライトガイド部５０は、遮光リブ２３によって互いに遮光されている。
【００１４】
回路基板７０には、第一入射部４１と対向する位置に第一ＬＥＤチップ（光源）７１が配され、第二入射部５３と対向する位置に第二ＬＥＤチップ７２が配されている。第一ＬＥＤチップ７１及び第二ＬＥＤチップ７２は、回路基板７０に設けられた不図示のＬＥＤ点灯制御回路により、それぞれ独立して点灯・消灯することで、表示装置１を備えた電子機器（例えば記録装置）の動作状態に関する情報を示す。
【００１５】
図２は、図１（ｂ）におけるＢ−Ｂ断面方向から見た表示装置１を示す。第一ライトガイド部４０はさらに、水平方向に延びる第一腕部４５を有する。第一腕部４５は、第一ライトガイド部４０のうち第一入射部４１及び第一射出部４２以外の部分と接続され、一端に第一端部４６を有し、他端に第一係合部４９を有する。同様に、第二ライトガイド部５０は、水平方向に延びる第二腕部５５を有する。第二腕部５５は、第二ライトガイド部５０のうち第二入射部５３及び第二射出部５４以外の部分と接続され、一端に第二端部５６を有し、他端に第二係合部５９を有する。第一腕部４５と第二腕部５５は接続部６１によって接続されている。すなわち連結部６０は、第一腕部４５と第二腕部５５と接続部６１とによって構成されている。
【００１６】
第一係合部４９と第二係合部５９は、表示カバー２０に設けられた第一係合爪２４ａと第二係合爪２４ｂに対してそれぞれ係合可能である。第一係合部４９と第一係合爪２４ａの係合、及び、第二係合部５９と第二係合爪２４ｂの係合によって、ライトガイド３０は表示カバー２０に対して位置決めされる。
【００１７】
表示カバー２０にはさらに、ライトガイド３０を保持して位置決めするための、爪形状の第一保持部２５ａと第二保持部２５ｂとが設けられている。第一保持部２５ａは第一腕部４５の途中に係合して保持し、第二保持部２５ｂは第二腕部５５の途中に係合して保持する。すなわちライトガイド３０は、表示カバー２０に設けられた第一係合爪２４ａ、第二係合爪２４ｂ、第一保持部２５ａ、第二保持部２５ｂによって、表示カバー２０に対して位置決めされている。
【００１８】
接続部６１は、ライトガイド３０を一体成型するために第一ライトガイド部４０と第二ライトガイド部５０を接続するものである。しかしながら、第一ライトガイド部４０と第二ライトガイド部５０が接続部６１で接続されることによって、互いの光を遮光できず、接続部６１を介して光が漏れる（伝わる）ことがある。例えば、第一ＬＥＤチップ７１を点灯し第二ＬＥＤチップ７２は消灯することで動作状態を表示する際に、接続部６１を介して第二ライトガイド部５０に光が漏れて第二ＬＥＤチップ７２が点灯しているように見えてしまうことがある。これにより、ユーザは動作状態を正しく認識できないことがある。
【００１９】
これに対して本実施形態では、第一端部４６と第二端部５６を接続部６１で接続する構成ではなく、第一腕部４５の端部以外の場所及び第二腕部５５の端部以外の場所と接続部６１を接続する構成を採用する。以下で詳細に説明する。
【００２０】
第一端部４６は、第一反射面４７と第一出光面４８を有する。第一反射面４７は、第一腕部４５が延在する方向に対して斜めに設けられた面である。第一出光面４８は、第一腕部４５の一部であり、接続部６１と接続されている側面と対向する側面に設けられている。第二端部５６も同様に、第二反射面５７と第二出光面５８を有する。第二反射面５７は、第二腕部５５が延在する方向に対して斜めに設けられた面である。第二出光面５８は、第二腕部５５の一部であり、接続部６１が接続されている側面と対向する側面に設けられている。
【００２１】
図２と図３を用いて、各反射面と出光面の役割について説明する。図３は、第一ライトガイド部４０における光の進み方を説明する、鉛直方向における断面拡大図である。図３においては、第一ライトガイド部４０を例に説明するが、第二ライトガイド部５０においても光の進み方は同様である。図３において、点線で示した矢印は光の進み方を示し、Ｚ方向は鉛直方向を示す。
【００２２】
第一ＬＥＤチップ７１から放射された光は、第一入射部４１から第一ライトガイド部４０に入射する。第一ＬＥＤチップ７１から放射される光は拡散光のため、様々な方向に向かう光が放射される。Ｌ１は、第一入射部４１から入射して反射せずに第一射出部４２から射出される光である。Ｌ２は、第一入射部４１から入射して、第一ライトガイド部４０内部で反射して第一射出部４２から射出される光である。Ｌ３は、第一入射部４１から入射するものの、第一ライトガイド部４０の内部で全反射せずに第一ライトガイド部４０の外へ漏れ出る光である。Ｌ４は、第一入射部４１から入射しない光である。第一射出部４２に届いた光Ｌ１と光Ｌ２は、表示カバー２０の第一表示窓２１から射出される。一方、第一ライトガイド部４０内部で反射する光Ｌ２の一部であるＬ２ａは、反射によって第一腕部４５に入射する。
【００２３】
図２において、点線で示した矢印は図３における光Ｌ２ａのように、第一腕部４５に入射した光の進み方を示す。図２では、第二腕部５５に入射した光をＬ２ｃと示す。第一腕部４５に入射した光Ｌ２ａは、第一反射面４７に到達すると反射によって向きを変えて、第一出光面４８からライトガイド３０の外に出る。第二ライトガイド部５０においても、第二腕部５５に入射した光Ｌ２ｃは、第二反射面５７に到達すると反射によって向きを変えて、第二出光面５８からライトガイド３０の外に出る。
【００２４】
このように、第一反射面４７と第二反射面５７を設けることで、第一腕部４５や第二腕部５５に入射した光を接続部６１とは異なる方向に導く。これにより、第一ＬＥＤチップ７１の光が接続部６１を介して第二ライトガイド部５０へ導かれるのを抑制し、第二表示窓２２へ光が漏れることを防止することができる。同様に、第二ＬＥＤチップ７２の光が接続部６１を介して第一ライトガイド部４０へ導かれるのを抑制し、第一表示窓２１へ光が漏れることを防止することができる。
【００２５】
仮に、接続部６１を第一腕部４５及び第二腕部５５の端部に設けた場合、第一反射面４７や第二反射面５７を設けることができないため、内部における光の反射を制御することができない。従って本実施形態のように、第一腕部４５の端部以外と第二腕部５５の端部以外を接続部６１によって接続することで、第一反射面４７及び第二反射面５７を設けることができ、各反射面によって光の反射を制御して外部へ導光することが可能となる。
【００２６】
なお、図３に示す光のうちＬ３とＬ４は、第一ライトガイド部４０に入光しないため第一反射面４７まで到達しないが、遮光リブ２３によって第二ライトガイド部５０への入光が抑制される。従って、第一ＬＥＤチップ７１の光は、第一反射面４７と遮光リブ２３によって第二ライトガイド部５０へ進入することが抑制される。同様に、第二ＬＥＤチップ７２の光は、第二反射面５７と遮光リブ２３によって第一ライトガイド部４０へ進入することが抑制される。このように、２つの光源を備え、各光源の光を導くライトガイドが近接して一体的に形成される構成において、連結部６０に反射面を設け、２つのライトガイド部の間に１つの遮光リブ２３を設けることで、光が漏れることを抑制することができる。これにより、従来よりも必要な遮光リブ２３の数を低減することができ、表示装置１全体を小型化することができる。
【００２７】
なお、ＬＥＤチップや表示窓の個数は２個に限らず、３個以上でもよい。ライトガイド部が３個以上設けられる場合も、隣接する２つのライトガイド部の間に遮光リブを設け、連結部に反射面を設ける本実施形態と同様の構成によって光が漏れることを抑制することができる。
【００２８】
ライトガイド３０は光透過性樹脂で形成されているため、光を全反射させるために第一反射面４７及び第二反射面５７を所定角度で設計する必要がある。しかしながら、第一反射面４７及び第二反射面５７に対して、鏡面インクの印刷、金属膜の貼り付けや金属蒸着等を行うことで、角度に依らず光を全反射させることができる。これにより、設計の自由度も向上させることができる。
【００２９】
〔第２実施形態〕
次に、第２実施形態に係る表示装置を図４〜図６を用いて説明する。第２実施形態における表示装置は、インクジェット記録装置（以下、記録装置）２００の表示操作部２１０に対応する。記録装置２００は記録手段としての不図示の記録ヘッドを備え、記録ヘッドは吐出口からインクを吐出して記録媒体に画像を記録する。
【００３０】
図４（ａ）は記録装置２００の上面図を示す。記録装置２００の上面には、表示カバー２２０を備えた表示操作部２１０が設けられている。表示操作部２１０は主に、表示カバー２２０、第一表示部としてのアラームライトガイド２６０、第二表示部としてのＬＣＤ表示部２７０、スイッチ部材としての電源キー２２３及び停止キー２２４によって構成される。アラームライトガイド２６０とＬＣＤ表示部２７０は、光透過性樹脂で形成されている。ＬＣＤ表示部２７０の内部にＬＣＤ２９０が配置されており、ユーザはＬＣＤ表示部２７０を通してＬＣＤ２９０の表示内容を視認することができる。
【００３１】
図４（ｂ）は、ＬＣＤ２９０の拡大図である。ＬＣＤ２９０は、無線接続装置の状態表示部２９１、インク残量警告表示部２９２、及びメンテナンス誘導表示部２９３等を有し、記録装置２００の動作状態に関する表示を行う。
【００３２】
図５（ａ）は、図４（ａ）に示すＣ−Ｃ断面方向から見た表示操作部２１０であり、図５（ｂ）は表示操作部２１０の分解斜視図である。表示操作部２１０内部には、アラームライトガイド２６０とＬＣＤ表示部２７０が連結部２８０により一体的に形成された表示部材２５０が収容されている。すなわち、表示部材２５０は全体が光透過性樹脂で形成されており、表示部材２５０の一部であるアラームライトガイド２６０とＬＣＤ表示部２７０が表示カバー２２０から露出して、ユーザが視認可能になっている。
【００３３】
表示部材２５０は、光を透過しない不透明な樹脂成型部材Ｍに下面を支持されている。
電源キー２２３及び停止キー２２４は、樹脂成型部材Ｍの一部として一体的に形成されている。図５（ｂ）に示す遮光リブ２４１も、樹脂成型部材Ｍの一部として一体成型されている。遮光リブ２４１の詳細は後述する。
【００３４】
樹脂成型部材Ｍの下方には、回路基板２３０が配されている。回路基板２３０は、アラームライトガイド２６０と対応する位置にアラーム表示ＬＥＤチップ２３１を有する。また回路基板２３０は、電源キー２２３に対応する電源スイッチ２３３と、停止キー２２４に対応する停止スイッチ２３４を有する。回路基板２３０は、不図示のＬＥＤ点灯制御回路を有し、アラーム表示ＬＥＤチップ２３１の点灯・消灯を制御する。回路基板２３０は、不図示のＬＣＤ点灯制御回路を有し、ＬＣＤ２９０の表示・非表示を制御する。表示操作部２１０は、アラーム表示ＬＥＤチップ２３１の点灯・消灯と、ＬＣＤ２９０の表示・非表示の切り替えと組み合わせによって、記録装置２００の詳細な動作状態を示す。
【００３５】
回路基板２３０の下には、ボトムフレーム２２５が配されている。表示カバー２２０とボトムフレーム２２５は光を透過しない不透明な樹脂で成形され、互いに係合することで箱形状となり、外部からの光を遮る構成となっている。
【００３６】
表示カバー２２０には、アラームライトガイド２６０を露出させるための第一表示窓２２１と、ＬＣＤ表示部２７０を露出させるための第二表示窓２２２が設けられている。また、表示カバー２２０には、電源キー２２３を露出させるための開口２２６と、停止キー２２４を露出させるための開口２２７も設けられている。
【００３７】
アラームライトガイド２６０は、アラーム表示ＬＥＤチップ２３１から放射された光を受ける入射部２６１と、表示カバー２２０から露出して光を射出する射出部としてのアラーム表示窓２６２を有する。ＬＣＤ表示部２７０は、表示カバー２２０から露出する外面２７４と、ＬＣＤ２９０と対向する面であって外面２７４の裏面に相当する内面２７３と、から構成される（図５（ａ）参照）。
【００３８】
図６（ａ）は、表示部材２５０と遮光リブ２４１の位置関係を示す上面図であり、図６（ｂ）は、図６（ａ）のＤ−Ｄ断面図である。アラームライトガイド２６０は図６（ａ）においてＬＣＤ表示部２７０の左上に配され、遮光リブ２４１はアラームライトガイド２６０とＬＣＤ表示部２７０の間に設けられている。連結部２８０は遮光リブ２４１を回り込むように樹脂成型部材Ｍより外側に配されながら、アラームライトガイド２６０とＬＣＤ表示部２７０とを接続する。
【００３９】
連結部２８０は、アラームライトガイド２６０から延びる第一腕部２６３と、ＬＣＤ表示部２７０から延びる第二腕部２７１と、によって構成される。第一腕部２６３のうち、ＬＣＤ表示部２７０に近い端部２６４には、第一出光面２６５と第一反射面２６６が設けられている。第一出光面２６５は、第一腕部２６３の一部であり、第二腕部２７１と接続される側面と対向する側面に設けられている。第一反射面２６６は、第一腕部２６３が延在する方向に対して斜めに設けられた面であり、アラームライトガイド２６０からの光を第一出光面２６５に導くための反射形状となっている。なお、第一出光面２６５は第二腕部２７１と接続される面以外であれば、他の側面の一部であってもよい。第１実施形態と同様に、連結部２８０は第一腕部２６３の端部２６４以外の場所と第二腕部２７１とが接続される構成となっている。
【００４０】
アラーム表示ＬＥＤチップ２３１が点灯すると、一部の光はアラームライトガイド２６０に入射する。アラームライトガイド２６０に入射した光Ｌ３ａは、第一腕部２６３に沿って第一反射面２６６まで導かれる。第一反射面２６６に到達した光Ｌ３ａは反射して、ＬＣＤ表示部２７０に向かう方向の反対方向の光Ｌ３ｂになり、第一出光面２６５から連結部２８０の外へ出る。
【００４１】
このように、第一腕部２６３の第一反射面２６６が設けられた端部２６４以外の場所と第二腕部２７１とを接続する構成にすることで、第一腕部２６３に入射した光Ｌ３ａが第二腕部２７１に導かれることを抑制することができる。すなわち、ＬＣＤ表示部２７０に対してアラーム表示ＬＥＤチップ２３１の光が漏れ出ることが抑制される。なお、第一反射面２６６によって反射された光Ｌ３ｂの方向はこれに限らず、ＬＣＤ表示部２７０に向かわない方向であればよい。
【００４２】
上述したようにＬＣＤ２９０は記録装置２００の様々な状態を表示するが、特にインク残量警告表示部２９２を表示する場合は、ユーザがＬＣＤ２９０を視認できない位置にいても報知できるように、アラーム表示ＬＥＤチップ２３１も点灯させる。すなわち、記録装置２００に収容されるインク量が所定値を下回ったと判断すると、アラーム表示ＬＥＤチップ２３１を点灯させることで、アラームライトガイド２６０のアラーム表示窓２６２が点灯する。本実施形態では、アラーム表示窓２６２とＬＣＤ表示部２７０が近接して配置されているため、アラーム表示窓２６２の点灯に気付いたユーザがＬＣＤ２９０の表示を確認しやすくしている。また、アラームライトガイド２６０とＬＣＤ表示部２７０が一体的に形成されているため、組立や製造を容易にしている。
【００４３】
図７は、第２実施形態の変形例として、ＬＣＤ２９０がバックライト付ＬＣＤの場合の連結部の構成を示す。図７において表示部材３００は、アラームライトガイド３６０、ＬＣＤ表示部３７０を備える。アラームライトガイド３６０は第一腕部３６１を備え、第一腕部３６１の第一端部３６２には、第一出光面３６３及び第一反射面３６４が設けられている。ＬＣＤ表示部３７０は第二腕部３７１を備え、第二腕部３７１の第二端部３７２には、第二出光面３７３及び第二反射面３７４が設けられている。第一腕部３６１は第二腕部３７１の第二端部３７２以外の場所に接続され、第二腕部３７１は第一腕部３６１の第一端部３６２以外の場所に接続される。すなわち、第一腕部３６１と第二腕部３７１は交差している。
【００４４】
第一出光面３６３は、第一腕部３６１の一部であり、第二腕部３７１と接続される側面と対向する側面に設けられている。第一反射面３６４は、第一腕部３６１が延在する方向に対して斜めに設けられた面であり、アラームライトガイド３６０からの光を第一出光面３６３に導くための反射形状となっている。アラームライトガイド３６０の光を外へ導く構成は、第２実施形態と同様である。
【００４５】
第二出光面３７３は、第二腕部３７１の一部であり、第一腕部３６１と接続される側面と対向する側面に設けられている。第二反射面３７４は、第二腕部３７１が延在する方向に対して斜めに設けられた面であり、アラームライトガイド３６０からの光を第二出光面３７３に導くための反射形状となっている。
【００４６】
ＬＣＤ表示部３７０の下方にバックライト付ＬＣＤが設けられている場合、バックライトが発光することで一部の光Ｌ４ａが第二腕部３７１に入射する。その後、第二反射面３７４に到達した光Ｌ４ａは反射してアラームライトガイド３６０へ向かわない方向の光Ｌ４ｂとなり、第二出光面３７３から第二腕部３７１の外へ出る。本変形例では、光Ｌ４ｂの向きがアラームライトガイド３６０へ向かう方向の反対方向になるように、第二反射面３７４によって変更されている。
【００４７】
このように、バックライト付ＬＣＤから入射した光は第二反射面３７４によって反射されるため、アラームライトガイド３６０に対して光が漏れ出ることが抑制される。これにより、アラーム表示ＬＥＤチップが点灯していない場合にＬＣＤから発せられた光が漏れ出て、ユーザがアラーム表示の点灯と誤認することを抑制することができる。なお、図７において不図示の遮光リブは、第２実施形態と同様、アラームライトガイド３６０とＬＣＤ表示部３７０の間に１つ設けるだけで、互いの光漏れを防止することができる。
【００４８】
なお、本変形例において第二表示部に用いるデバイスとしては、ＬＣＤの他、光反射型の表示デバイスとして、ペーパーディスプレー等の光反射型表示デバイスも採用することができる。光反射型表示デバイスに対しては、第２実施形態に示す表示部材２５０と同様の構成を採用すればよい。また、バックライト付きＬＣＤの代わりに、有機ＥＬディスプレイやＬＥＤアレイなどの自発光、若しくは光源を備えた自発光型表示デバイスを用いる場合は、変形例に示す表示部材３００と同様の構成を採用すればよい。
【符号の説明】
【００４９】
１  表示装置
２０  表示カバー
２１  第一表示窓
２２  第二表示窓
２３  遮光リブ
３０  ライトガイド
４０  第一ライトガイド部（第１表示部）
４１  第一入射部
４２  第一射出部
４５  第一腕部
４６  第一端部
５０  第二ライトガイド部（第２表示部）
５３  第二入射部（第２面）
５４  第二射出部（第１面）
５５  第二腕部
７１  第一ＬＥＤチップ（光源）
【図１】
2019120804.tif 000003
【図２】
2019120804.tif 000004
【図３】
2019120804.tif 000005
【図４】
2019120804.tif 000006
【図５】
2019120804.tif 000007
【図６】
2019120804.tif 000008
【図７】
2019120804.tif 000009